(57)【要約】      （修正有）【課題】サイドカバーに触れてもサイドカバーが外れることのない加熱調理器を提供する。【解決手段】本体ケースの前部の第２開口部を覆うように設けられる前フレームを有し、前フレームは、本体ケース内に設けられた収納室と対向する面に第２開口部よりも小さい第３開口部を有し、前フレームがキッチン台の前面開口部から臨むように、本体ケースがキッチン台の内部に収容される加熱調理器において、前フレームの左右の側板のうち第３開口部側の側板に支持され、側板とキッチン台の前面開口部との間の隙間を覆うサイドカバー３０を備え、第３開口部側の側板２１には、切り起こし部２２，２３と、隙間側に突出する突起部２４とが設けられ、サイドカバーは、側板に対向する取付板３２を有し、取付板に切り起こし部に差し込む鉤部３４と、突起部が挿入される孔３５とが設けられている。【選択図】図９
2018173208.tif 000002
【特許請求の範囲】
【請求項１】
上部に第１開口部を有し、更に、前部に第２開口部を有する本体ケースと、前記本体ケースの上部に第１開口部を覆うように設けられた天板と、前記本体ケースの内部に配置され、前記天板上の被加熱物を加熱する加熱手段と、前記本体ケースの前記第２開口部を覆うように設けられる前フレームとを備え、
前記前フレームは、前記本体ケース内に設けられた収納室と対向する面に前記第２開口部よりも小さい第３開口部を有し、
前記前フレームがキッチン台の前面開口部から臨むように、前記本体ケースがキッチン台の上面開口部から収容される加熱調理器において、
前記前フレームの左右の側板のうち前記第３開口部側の側板に支持され、当該側板と前記キッチン台の前面開口部の側面との間の隙間を覆うサイドカバーを備え、
前記前フレームの第３開口部側の側板には、当該側板を長手方向から切り起こして形成された切り起こし部と、前記隙間側に突出する突起部とが設けられ、
前記サイドカバーは、前記側板に対向する取付板を有し、当該取付板に前記切り起こし部に差し込む鉤部と、前記突起部が挿入される孔とが設けられていることを特徴とする加熱調理器。
【請求項２】
前記切り起こし部は、前記前フレームの前記側板の上下両端にそれぞれ設けられ、前記突起部は、前記側板の上下両端に設けられた２つの切り起こし部の間に設けられ、
前記鉤部は、前記取付板に前記２つの切り起こし部に対応して２つ設けられていることを特徴とする請求項１記載の加熱調理器。
【請求項３】
前記突起部は、前記切り起こし部の高さよりも高いことを特徴とする請求項１又は２記載の加熱調理器。
【請求項４】
前記取付板の前記孔よりも下側に位置する板幅が、当該取付板の前記孔が設けられた板幅よりも狭く形成されていることを特徴とする請求項１〜３の何れか１項に記載の加熱調理器。
【請求項５】
前記突起部の頂点の周縁が丸く形成されたラウンド部となっていることを特徴とする請求項１〜４の何れか１項に記載の加熱調理器。
【発明の詳細な説明】
【技術分野】
【０００１】
本発明は、例えば、キッチン台に組み込まれる加熱調理器に関するものである。
【背景技術】
【０００２】
従来の加熱調理器として、本体ケースの加熱庫側の側板に設けられ、その側板とキッチン台の側板との間の隙間を覆うサイドカバーと、サイドカバーの一端を支点として扉の開閉に応じて可動する可動体とを備えたものがある（例えば、特許文献１参照）。
この加熱調理器においては、サイドカバーと可動体という複数の部品を用いているため、製造コストがかかり、このような構造では、使用できるキッチン台が制限されるという課題がある。そこで、１つのサイドカバーで隙間を覆う技術が考えられている。
【先行技術文献】
【特許文献】
【０００３】
【特許文献１】特許第４３０６６３９号公報
【発明の概要】
【発明が解決しようとする課題】
【０００４】
しかしながら、本体ケースの加熱庫側の側板とキッチン台の側板との間の隙間をサイドカバーで覆うようにした場合、サイドカバーを本体ケースの側板に引っ掛けるだけの構造であるため、扉の操作中に手が下方からサイドカバーに触れたりすると、サイドカバーが外れてしまうという課題があった。
【０００５】
本発明は、前述のような課題を解決するためになされたものであり、サイドカバーに触れてもサイドカバーが外れることのない加熱調理器を提供することを目的とする。
【課題を解決するための手段】
【０００６】
本発明に係る加熱調理器は、上部に第１開口部を有し、更に、前部に第２開口部を有する本体ケースと、本体ケースの上部に第１開口部を覆うように設けられた天板と、本体ケースの内部に配置され、天板上の被加熱物を加熱する加熱手段と、本体ケースの第２開口部を覆うように設けられる前フレームとを備え、前フレームは、本体ケース内に設けられた収納室と対向する面に第２開口部よりも小さい第３開口部を有し、前フレームがキッチン台の前面開口部から臨むように、本体ケースがキッチン台の上面開口部から収容される加熱調理器において、前フレームの左右の側板のうち第３開口部側の側板に支持され、側板とキッチン台の前面開口部の側面との間の隙間を覆うサイドカバーを備え、前フレームの第３開口部側の側板には、側板を長手方向から切り起こして形成された切り起こし部と、隙間側に突出する突起部とが設けられ、サイドカバーは、側板に対向する取付板を有し、取付板に切り起こし部に差し込む鉤部と、突起部が挿入される孔とが設けられている。
【発明の効果】
【０００７】
本発明によれば、サイドカバーの取付板に設けられた鉤部を前フレームの側板に設けられた切り起こし部に差し込んむ際に、取付板に設けられた孔に側板の突起部が挿入されて貫通する。この構成により、前フレームに組み付けたサイドカバーに触れたとしても、孔に貫通した突起部により外れにくくなっており、使い勝手の良い加熱調理器を提供できる。
【図面の簡単な説明】
【０００８】
【図１】本発明の実施の形態に係る加熱調理器の分解斜視図である。
【図２】図１に示す本体ケースの拡大斜視図である。
【図３】図１に示す加熱調理器を備えたキッチン台の斜視図である。
【図４】図３に示す前フレームの第３開口部側およびサイドカバーの拡大斜視図である。
【図５】図４の前フレームにおける第３開口部側の側板を示す斜視図である。
【図６】図４に示すサイドカバーを裏側から見た斜視図である。
【図７】図５の前フレームに対しサイドカバーを傾けた状態を示す側面図である。
【図８】図７に続く前フレームとサイドカバーとの関係を示す側面図である。
【図９】図８に続いて、前フレームにサイドカバーを組み付けた状態を示す側面図である。
【図１０】図９に示す前フレームおよびサイドカバーのＡ−Ａ断面図である。
【図１１】図９に示す前フレームおよびサイドカバーのＢ−Ｂ断面図である。
【発明を実施するための形態】
【０００９】
図１は本発明の実施の形態に係る加熱調理器の分解斜視図、図２は図１に示す本体ケースの拡大斜視図、図３は図１に示す加熱調理器を備えたキッチン台の斜視図である。
図１〜図３において、本実施の形態に係る加熱調理器１００は、本体ケース１と、収納庫４と、冷却ファンユニット５と、電源基板ユニット６と、天板８と、天板８に載置された被加熱物を加熱する加熱手段である例えば誘導加熱コイル７とを備えている。
【００１０】
本体ケース１は、図２に示すように、上部に第１開口部２および前部に手前側に突出する左右方向に長い第２開口部３を有する箱形状に形成されている。本体ケース１には、縦仕切板１ａによって第１収納室１ｂと第２収納室１ｃとが設けられている。本体ケース１の背板１ｄの第２収納室１ｃ側には、複数の穴によって形成された吸気口１ｅが設けられている。
【００１１】
収納庫４は、図１に示すように、第２開口部３側に開口部を有する箱形状に形成され、本体ケース１の第１収納室１ｂに収納されている。また、収納庫４は、第１収納室１ｂの上部に設けられた横仕切板１ｆによって覆われている。この収納庫４は、例えば、しゃもじ、へら、おろし金等の調理小物が収納される。冷却ファンユニット５と電源基板ユニット６は、第２収納室１ｃに収納されている（図１参照）。冷却ファンユニット５は、空気を吸気口１ｅから吸引し、電源基板ユニット６を介して誘導加熱コイル７に送り込み、電源基板ユニット６と誘導加熱コイル７とを冷却する。
【００１２】
天板８は、本体ケース１の第１開口部２を覆っている。この天板８は、例えば、四辺形に形成された結晶化ガラス９ａと、結晶化ガラス９ａの外周部にシリコン系接着剤等で固着された上フレーム９ｂとで構成されている。上フレーム９ｂは、例えばステンレスにより額縁状に形成され、本体ケース１の上部に設けられたフランジ部１ｇに固定されている。
【００１３】
上フレーム９ｂの手前側の位置には、誘導加熱コイル７に対応して複数のキースイッチが配置された操作パネル１０が設置されている。また、上フレーム９ｂの奥側の位置には、排気口カバー１１で覆われた排気口が設けられている。この排気口は、電源基板ユニット６と誘導加熱コイル７とを冷却した空気を外部に排出する。
【００１４】
誘導加熱コイル７は、横仕切板１ｆと天板８との間に配置され、天板８に載置された鍋等の被加熱物を誘導加熱する。なお、本実施の形態では、誘導加熱コイル７を２つとしているが、例えば、３つあるいは４つの誘導加熱コイル７を備えた加熱調理器でも良い。また、例えば、３つの誘導加熱コイル７のうち、１つをラジエントヒーターのような電熱線からなる輻射式加熱手段とし、残りの２つを誘導加熱コイル７としても良い。
【００１５】
本体ケース１の前部には、図１に示すように、第２開口部３を覆う前フレーム２０が取り付けられている。前フレーム２０は、正面の外形が本体ケース１の第２開口部３とほぼ同じ形状で、本体ケース１内に設けられた第１収納室（収納室）と対向する面に、第２開口部３よりも小さい第３開口部２０ａを有している。また、前フレーム２０は、上下および左右の縁に第２開口部３側に折り曲げられた板形状の側板２１を有している。前フレーム２０の各側板２１は、本体ケース１の第２開口部３の外周部に取り付けられている。
【００１６】
前フレーム２０の第３開口部２０ａを除く部分は、化粧板１５によって覆われている。第３開口部２０ａは、収納庫４の開口部とほぼ同じ大きさで、引出部１３を有する扉１２によって開閉される。つまり、第３開口部２０ａは、収納庫４の開口部として使用される。引出部１３は、上面が開口された箱形状に形成され、収納庫４の左右の側板に設けられた摺動部１４によって前後に移動自在に収納庫４に収納される。
【００１７】
前記のように構成された加熱調理器１００は、図３に示すように、前フレーム２０がキッチン台２００の前面開口部から臨むように、本体ケース１がキッチン台２００の上面開口部から収容された組込式の加熱調理器である。この場合、天板８は、キッチン台２００の上面開口部よりも大きく形成されているため、天板８がキッチン台２００の上面開口部の縁に引っ掛かっており、本体ケース１をぶら下げた状態になっている。
【００１８】
また、キッチン台２００の前面開口部の左右方向の幅は、本体ケース１の前フレーム２０の左右方向の幅よりも長く形成されているため、前フレーム２０の両側には、それぞれ隙間が形成される。この両側の隙間は、図３に示すように、前フレーム２０に取り付けられた化粧板１５とサイドカバー３０とによって覆われている。サイドカバー３０は、扉１２が閉じられているときには扉１２によって覆われ、扉１２を手前に引いて第３開口部２０ａを開けたときに露出する。
【００１９】
前述の扉１２と化粧板１５は、キッチン台２００の正面には設けられた複数の引出用扉２０１と同一面で、引出用扉２０１と同じ色、同じ材料により形成されている。これにより、キッチン台２００の正面は、意匠の統一が図られている。キッチン台２００には、調理物の下ごしらえ等を行える平坦な調理スペース２０２、水あるいはお湯を供給する水栓器具２０３および洗い物等を行うシンク２０４が設けられている。
【００２０】
ここで、前フレーム２０の第３開口部２０ａ側の側板２１およびサイドカバー３０の構造について、図４〜図６を用いて説明をする。
図４は図３に示す前フレームの第３開口部側およびサイドカバーの拡大斜視図、図５は図４の前フレームにおける第３開口部側の側板を示す斜視図、図６は図４に示すサイドカバーを裏側から見た斜視図である。
【００２１】
図４に示すように、前フレーム２０の上下および左右の側板２１のうち第３開口部２０ａ側の側板２１にサイドカバー３０が取り付けられている。前フレーム２０の第３開口部２０ａ側の側板２１には、図５に示すように、側板２１の長手方向を切り起こして形成された台形状の切り起こし部２２、２３と、キッチン台２００の前面開口部の側面との間の隙間側に突出する突起部２４とが設けられている。
【００２２】
切り起こし部２２、２３は、側板２１の長手方向の上下両端にそれぞれ設けられ、突起部２４は、その側板２１の上下両端に設けられた２つの切り起こし部２２、２３の間であって、切り起こし部２３寄りに設けられている。また、突起部２４は、頂点の周縁が丸く形成されたラウンド部２４ａ（図１１参照）となっており、その頂点までの高さが切り起こし部２２、２３の高さよりも高くなっている。つまり、突起部２４は、切り起こし部２２、２３より、側板２１の面より突出している。
【００２３】
更に、側板２１の切り起こし部２２と突起部２４との間に２つの位置決め部２５、２６が設けられている。位置決め部２５、２６は、側板２１の短手方向からの切り起こしにより三角形状に形成されている。この位置決め部２５、２６は、サイドカバー３０と前フレーム２０とが同一面となるようにするためである。
【００２４】
サイドカバー３０は、図６に示すように、長手方向を縦とする長方形状のめくら板３１と、めくら板３１の横方向の一端から直角に折り曲げられた取付板３２とで構成されている。その取付板３２には、上端部３２ａと下端部３２ｃとにそれぞれ下方へ延びる鉤部３３、３４が設けられ、上端部３２ａと下端部３２ｃとの間の中央部３２ｂに孔３５が設けられている。この孔３５は、前フレーム２０の側板２１に設けられた突起部２４と対向する位置に設けられている。取付板３２の上端部３２ａと中央部３２ｂとの間および取付板３２の中央部３２ｂと下端部３２ｃとの間の板幅Ｗ２（取付板３２の横方向の幅）は、中央部３２ｂの板幅Ｗ１よりも狭くなっている。その板幅Ｗ２は、プレス加工でせん断可能な最小の寸法である。
【００２５】
次に、サイドカバー３０を側板２１に組み付けについて、図７〜図１１を用いて説明する。
図７は図５の前フレームに対しサイドカバーを傾けた状態を示す側面図、図８は図７に続く前フレームとサイドカバーとの関係を示す側面図、図９は図８に続いて、前フレームにサイドカバーを組み付けた状態を示す側面図、図１０は図９に示す前フレームおよびサイドカバーのＡ−Ａ断面図、図１１は図９に示す前フレームおよびサイドカバーのＢ−Ｂ断面図である。
【００２６】
先ず、前フレーム２０に対して、サイドカバー３０のめくら板３１を手間側に向けて、図７に示すように、サイドカバー３０の取付板３２の鉤部３３側を手前側に傾け、側板２１の切り起こし部２３に取付板３２の鉤部３４を向ける。
【００２７】
その後、図８に示すように、その取付板３２の鉤部３４を側板２１の切り起こし部２３に挿入しながらサイドカバー３０そのものを起こしていくと、側板２１の突起部２４に取付板３２の中央部３２ｂが接触する。更にサイドカバー３０を起こすと共に、前フレーム２０の側板２１から離れる方向に傾けていくと、取付板３２の中央部３２ｂが側板２１の突起部２４を乗り上げてく。
【００２８】
サイドカバー３０を前フレーム２０の側板２１から離れる方向に傾けることができるのは、取付板３２の中央部３２ｂの下側の板幅Ｗ２が中央部３２ｂの板幅Ｗ１よりも狭いく、撓みやすくなっているからである。また、突起部２４の周縁がラウンド部２４ａとなっているため、容易に取付板３２の中央部３２ｂが側板２１の突起部２４を乗り上げることができる。
【００２９】
そして、サイドカバー３０を垂直に立ててサイドカバー３０を下方へ下げると、図９に示すように、取付板３２の鉤部３３が側板２１の切り起こし部２２に差し込まれると同時に。取付板３２の鉤部３４が側板２１の切り起こし部２３に挿入される。また同時に、取付板３２の中央部３２ｂに設けられた孔３５に側板２１の突起部２４が挿入される。この時、取付板３２の中央部３２ｂの長手方向の一端が側板２１の位置決め部２５、２６に当接する。
【００３０】
サイドカバー３０を前フレーム２０の側板２１に組み付けたとき、取付板３２の鉤部３３は、切り起こし部２２に対しほぼ中央に位置し（図１０参照）、側板２１の突起部２４は、取付板３２の中央部３２ｂに設けられた孔３５を貫通して、側板２１の切り起こし部２２の高さよりも突出する（図１１参照）。
【００３１】
以上のように本実施の形態によれば、サイドカバー３０の取付板３２に設けられた鉤部３３、３４を前フレーム２０の側板２１に設けられた切り起こし部２２、２３にそれぞれ差し込んだ際に、取付板３２の中央部３２ｂに設けられた孔３５に側板２１の突起部２４が貫通する。この構成により、前フレーム２０組み付けたサイドカバー３０に触れたとしても、孔３５に貫通した突起部２４により外れにくくなり、使い勝手の良い加熱調理器を提供できる。
【００３２】
なお、本実施の形態では、本体ケース１の第１収納室１ｂに収納庫４を設けたが、これに代えて、内部にヒーターを備えた加熱庫でも良い。
【符号の説明】
【００３３】
１  本体ケース、１ａ  縦仕切板、１ｂ  第１収納室、１ｃ  第２収納室、１ｄ  背板、１ｅ  吸気口、１ｆ  横仕切板、１ｇ  フランジ部、２  第１開口部、３  第２開口部、４  収納庫、５  冷却ファンユニット、６  電源基板ユニット、７  誘導加熱コイル、８  天板、９ａ  結晶化ガラス、９ｂ  上フレーム、１０  操作パネル、１１  排気口カバー、１２  扉、１３  引出部、１４  摺動部、１５  化粧板、２０  前フレーム、２０ａ  第３開口部、２１  側板、２２、２３  切り起こし部、２４  突起部、２４ａ  ラウンド部、２５、２６  位置決め部、３０  サイドカバー、３１  めくら板、３２  取付板、３２ａ  上端部、３２ｂ  中央部、３２ｃ  下端部、３３、３４  鉤部、３５  孔、Ｗ１、Ｗ２  板幅、１００  加熱調理器、２００  キッチン台、２０１  引出用扉、２０２  調理スペース、２０３  水栓器具、２０４  シンク。
【図１】
2018173208.tif 000003
【図２】
2018173208.tif 000004
【図３】
2018173208.tif 000005
【図４】
2018173208.tif 000006
【図５】
2018173208.tif 000007
【図６】
2018173208.tif 000008
【図７】
2018173208.tif 000009
【図８】
2018173208.tif 000010
【図９】
2018173208.tif 000011
【図１０】
2018173208.tif 000012
【図１１】
2018173208.tif 000013